(57)【要約】【課題】太陽電池モジュールの枠部材に積雪荷重が直接かかることを防止して、枠部材の変形等を起こりにくくした雪止め防止機能を有する固定金具及びその固定金具を用いた太陽電池モジュールの設置構造を提供する。【解決手段】枠部材を有する太陽電池モジュール５を架台に固定する固定金具（第１固定金具２１）であって、太陽電池モジュール５を架台に固定する固定部（底板２１ａ，側壁２１ｂ，立設板２１ｃ，穿孔２１ｄ，受け部２１ｅ）と、固定部（立設板２１ｃ）から相反するそれぞれの外側方向に延在された太陽電池モジュール５の枠部材１２Ｌと係合する係合部（第１押え部２１ｆ及び第２押え部２１ｇ）と、係合部の外側方向の中央部から太陽電池モジュール５の受光面側に延在された雪止め部４ｍと、を備えている。【選択図】図８Ａ
2018071214.tif 000002
【特許請求の範囲】
【請求項１】
枠部材を有する太陽電池モジュールを架台に固定する固定金具であって、
前記太陽電池モジュールを前記架台に固定する固定部と、
前記固定部から相反するそれぞれの外側方向に延在された前記太陽電池モジュールの前記枠部材と係合する係合部と、
前記係合部の前記外側方向の中央部から前記太陽電池モジュールの受光面側に延在された雪止め部と、を備えていることを特徴とする固定金具。
【請求項２】
請求項１に記載の固定金具であって、
前記固定部は前記架台を構成する桟部材に固定されることを特徴とする固定金具。
【請求項３】
請求項１に記載の固定金具であって、
前記固定部、係合部及び雪止め部は前記架台を構成する桟部材に一体に形成されていることを特徴とする固定金具。
【請求項４】
太陽電池モジュールを架台上に設置する設置構造であって、
前記太陽電池モジュールは請求項１〜３のいずれか一つに記載の固定金具を用いて前記架台に固定されており、
前記固定金具は、前記太陽電池モジュールの角縁部を除いて複数箇所に配置されていることを特徴とする太陽電池モジュールの設置構造。
【請求項５】
複数の太陽電池モジュールを架台上に並べて設置する設置構造であって、
前記太陽電池モジュールは請求項１〜３のいずれか一つに記載の固定金具を用いて前記架台に固定されており、
前記固定金具は、隣接する前記太陽電池モジュールの角縁部を跨いで配置され、前記雪止め部は、前記太陽電池モジュールの角縁部と対峙する位置を除いて形成されていることを特徴とする太陽電池モジュールの設置構造。
【発明の詳細な説明】
【技術分野】
【０００１】
本発明は、太陽電池モジュールを架台に固定する固定金具及びその固定金具を用いた太陽電池モジュールの設置構造に関する。
【背景技術】
【０００２】
従来、太陽電池モジュールの枠部材に雪止め具を固定する構造が多く用いられてきた（例えば、特許文献１〜３等参照）。
【０００３】
特許文献１には、太陽電池モジュールと、太陽電池モジュールに取り付けられる枠（フレーム）部材と、枠部材に固定される雪止め部材と、を備えた太陽光発電システムが開示されている。
【０００４】
また、特許文献２には、雪止め突片を有するクランプ上部と、クランプ下部と、ボルトとを備え、太陽電池モジュールの前後端フレーム（枠部材）をクランプ上部とクランプ下部とで上下方向から挟持する構造の雪止め具が開示されている。
【０００５】
また、特許文献３には、太陽電池モジュールの枠体の側面にその両側面が当接する第１部材と、第１部材に設けられ、枠体の下面及び上面に当接することで枠体に固定される第２部材と、第１部材の上端部に設けられ、その先端が枠体又は太陽電池パネルよりも突出する突起部を有する雪止め部と、を備えた落雪防止金具が開示されている。
【先行技術文献】
【特許文献】
【０００６】
【特許文献１】特開２００６−２７８６７１号公報
【特許文献２】特開２０１５−１８３４８８号公報
【特許文献３】特開２０１２−２２９５５０号公報
【発明の概要】
【発明が解決しようとする課題】
【０００７】
従来の雪止め具の固定構造では、積雪時に太陽電池モジュールの軒側の枠部材に、雪止め具で受け止めた積雪荷重が直接かかり、枠部材が変形する可能性があるといった問題があった。枠部材の変形は、太陽電池モジュール本体（太陽電池パネル）の端部の密封性の低下を招き、太陽電池モジュール本体（太陽電池パネル）の損傷につながる可能性がある。
【０００８】
本発明はかかる問題点を解決すべく創案されたもので、その目的は、太陽電池モジュールの枠部材に積雪荷重が直接かかることを防止して、枠部材の変形等を起こりにくくした雪止め防止機能を有する固定金具及びその固定金具を用いた太陽電池モジュールの設置構造を提供することにある。
【課題を解決するための手段】
【０００９】
上記課題を解決するため、本発明の固定金具は、枠部材を有する太陽電池モジュールを架台に固定する固定金具であって、前記太陽電池モジュールを前記架台に固定する固定部と、前記固定部から相反するそれぞれの外側方向に延在された前記太陽電池モジュールの前記枠部材と係合する係合部と、前記係合部の前記外側方向の中央部から前記太陽電池モジュールの受光面側に延在された雪止め部と、を備えていることを特徴としている。
【００１０】
また、本発明の固定金具によれば、前記固定部は前記架台を構成する桟部材に固定された構成としてもよい。
【００１１】
また、本発明の固定金具によれば、前記固定部、係合部及び雪止め部は前記架台を構成する桟部材に一体に形成された構成としてもよい。
【００１２】
また、本発明の太陽電池モジュールの設置構造は、太陽電池モジュールを架台上に設置する設置構造であって、前記太陽電池モジュールは請求項１〜３のいずれか一つに記載の固定金具を用いて前記架台に固定されており、前記固定金具は、前記太陽電池モジュールの角縁部を除いて複数箇所に配置されていることを特徴している。
【００１３】
また、本発明の太陽電池モジュールの設置構造は、複数の太陽電池モジュールを架台上に並べて設置する設置構造であって、前記太陽電池モジュールは請求項１〜３のいずれか一つに記載の固定金具を用いて前記架台に固定されており、前記固定金具は、隣接する前記太陽電池モジュールの角縁部を跨いで配置され、前記雪止め部は、前記太陽電池モジュールの角縁部と対峙する位置を除いて形成されていることを特徴としている。
【発明の効果】
【００１４】
本発明によれば、積雪荷重が太陽電池モジュールの枠部材ではなく架台にかかる構成としたので、太陽電池モジュールの枠部材の変形を防止することができる。これにより、太陽電池モジュールの枠部材に雪止め金具を取り付ける従来の構造に比べて、より多い積雪に耐えることができる。
【図面の簡単な説明】
【００１５】
【図１】本発明の実施形態１に係る太陽電池モジュールの設置構造を用いて、複数の太陽電池モジュールを支持した太陽光発電システムを示す斜視図である。
【図２】実施形態１に係る太陽電池モジュールの設置構造の一部（図１のＦで示す丸部分）を拡大して示す分解斜視図である。
【図３】太陽電池モジュールを示す斜視図である。
【図４Ａ】太陽電池モジュールの長枠の近傍を拡大して示す断面図である。
【図４Ｂ】太陽電池モジュールの短枠の近傍を拡大して示す断面図である。
【図５】横桟の一部（端部）を拡大して示す斜視図である。
【図６】支持金具を示す斜視図である。
【図７】横桟を支持金具に取付けるための取付け金具を示す斜視図である。
【図８Ａ】実施形態１に係る第１固定金具を表側から視て示す斜視図である。
【図８Ｂ】実施形態１に係る第１固定金具を裏側から視て示す斜視図である。
【図８Ｃ】実施形態１に係る第１固定金具の変形例を表側から視て示す斜視図である。
【図９Ａ】押し出し成型後の所定長さにカットされた第１固定金具の原形状を示す斜視図である。
【図９Ｂ】押し出し成型後の所定長さにカットされた第１固定金具の原形状を示す平面図である。
【図１０Ａ】実施形態１に係る第２固定金具を表側から視て示す斜視図である。
【図１０Ｂ】実施形態１に係る第２固定金具を裏側から視て示す斜視図である。
【図１１】第１固定金具及び第２固定金具を用いて横桟に２枚の太陽電池モジュールを支持した構造を示す断面図である。
【図１２】実施形態１に係る第１固定金具を用いて太陽電池モジュールを横桟に固定した場合の第１固定金具の設置箇所を示す概略平面図である。
【図１３Ａ】実施形態２に係る第１固定金具の形状を示す斜視図である。
【図１３Ｂ】実施形態２に係る第１固定金具の変形例を示す斜視図である。
【図１４】実施形態２に係る第１固定金具を用いて太陽電池モジュールを横桟に固定した場合の第１固定金具の設置箇所を示す概略平面図である。
【図１５Ａ】実施形態３に係る第１固定金具の一構成例の形状を示す斜視図である。
【図１５Ｂ】実施形態３に係る第１固定金具の他の構成例の形状を示す斜視図である。
【図１６】実施形態４に係る第１固定金具の形状を示す斜視図である。
【図１７】実施形態５に係る第１固定金具が用いられる太陽電池モジュールの長枠の近傍を拡大して示す断面図である。
【図１８】実施形態５に係る第１固定金具を示す斜視図である。
【図１９】第１固定金具を用いて水流れ方向Ａに隣接する太陽電池モジュールの長枠を横桟に固定した構造を示す断面図である。
【図２０】第１固定金具の機能及び雪止め部の機能を一体に備えた横桟の一構成例を、太陽電池モジュールを支持固定した状態で示す斜視図である。
【図２１】第１固定金具の機能及び雪止め部の機能を一体に備えた横桟の他の構成例を、太陽電池モジュールを支持固定した状態で示す斜視図である。
【図２２Ａ】実施形態６に係る横桟の雪止め部の断面図である。
【図２２Ｂ】実施形態６に係る横桟の雪止め部の無い部分の断面図である。
【図２２Ｃ】実施形態６に係る横桟の他の構成例を示す雪止め部の断面図である。
【図２２Ｄ】実施形態６に係る横桟の他の構成例を示す雪止め部の無い部分の断面図である。
【図２３】実施形態６に係る横桟を用いて水流れ方向に隣接する太陽電池モジュールの長枠を固定した構造を示す断面図である。
【図２４】実施形態６に係る横桟を用いて水流れ方向に隣接する太陽電池モジュールの長枠を固定した構造を示す断面図である。
【発明を実施するための形態】
【００１６】
以下、本発明の実施の形態について、図面を参照して説明する。
【００１７】
＜実施形態１＞
図１は、本発明の実施形態１に係る太陽電池モジュールの設置構造を用いて、複数の太陽電池モジュールを支持した太陽光発電システムを示す斜視図、図２は、実施形態１に係る太陽電池モジュールの設置構造の一部（図１のＦで示す丸部分）を拡大して示す分解斜視図である。ただし、設置構造が視認し易いように、図１では太陽電池モジュールは想像線で図示し、図２では省略している。
【００１８】
図１に示すように、この太陽光発電システムは、架台１０を屋根１上に構築し、架台１０により複数の太陽電池モジュール５を支持したものである。架台１０は、屋根１上に複数の支持金具３を配置して固定し、各支持金具３上に取付け金具１１（図２参照）を用いて各横桟（請求項に記載の桟部材）４を一定の間隔を開けて相互に平行に配置固定し、各横桟４間に各太陽電池モジュール５を架け渡し、固定金具２（図２の第１固定金具２１及び第２固定金具２２）を用いて各太陽電池モジュール５の上下の長枠１２Ｌ（図３参照）を支持固定したものである。
【００１９】
支持金具３は、周知の方法もしくは構造により屋根１に固定される。例えば、屋根１の表側を構成する瓦、スレート、波板を貫通して垂木に接続された金具により支持金具３を固定することができる。
【００２０】
各支持金具３の長手方向が屋根１の水流れ方向Ａに一致し、各横桟４の長手方向が水流れ方向Ａと直交する方向に一致している。なお、本明細書では、水流れ方向Ａに沿う方向を縦方向Ｙ、水流れ方向Ａに直交する方向を横方向Ｘとも言う。
【００２１】
実施形態１では、水流れ方向Ａの下流側から上流側へと１列目、２列目、３列目の横桟４が並び、１列目と２列目の各横桟４間に２枚の太陽電池モジュール５が架け渡されて固定され、２列目と３列目の各横桟４間に２枚の太陽電池モジュール５が架け渡されて固定されている。なお、水流れ方向Ａである縦方向Ｙの横桟４の配列数、及び、軒先に沿った横方向Ｘへの横桟４の配置本数については、設置場所（実施形態１では屋根１）の設置面積に応じて任意の配列数及び本数に設定すればよい。また、太陽電池モジュール５の設置方向も、図１では軒先に沿って横長に設置しているが、縦長に設置してもよい。
【００２２】
図３は、太陽電池モジュール５を示す斜視図である。図３に示すように、太陽電池モジュール５は、太陽光を光電変換する太陽電池パネル６と、この太陽電池パネル６を縁取って保持する長枠１２Ｌ及び短枠１２Ｓとで構成されている。長枠１２Ｌ及び短枠１２Ｓは、アルミ材からなり、２本の長枠１２Ｌと２本の短枠１２Ｓとを組み付けたものである。
【００２３】
太陽電池パネル６は、例えば透光性絶縁基板上に、透明導電膜からなる透明電極膜、光電変換層、及び裏面電極膜を順次積層して太陽電池セルを形成し、更に裏面電極膜上に、封止フィルム、及び耐候性及び高絶縁性を確保するための裏面保護層等を積層し、この積層構造全体をラミネート封止して一体化したものを用いることができる。
【００２４】
また、太陽電池パネル６は、２枚のガラス板の間に、透明電極膜、光電変換層、及び裏面電極膜を順次積層してなる太陽電池セルを挟み込んで、各ガラス板の端部を封止した構造のものを用いることもできる。ただし、太陽電池パネル６の構成については特に限定されるものではない。
【００２５】
図４Ａ及び図４Ｂは、太陽電池モジュール５の長枠１２Ｌ及び短枠１２Ｓの近傍を拡大して示す断面図である。図４Ａ及び図４Ｂに示すように、長枠１２Ｌ及び短枠１２Ｓは、外側面が平坦な側壁部１２ａと、側壁部１２ａの上部内側に水平方向に突設された２つの保持部１２ｂ、１２ｃと、側壁部１２ａの下端内側に水平方向に突設された底部１２ｄとを有している。長枠１２Ｌはさらにネジ孔１２ｇを有している。一方、短枠１２Ｓには、ネジ孔１２ｇに対向する側壁部１２ａにネジ挿通孔１２ｈが形成されている。
【００２６】
このような長枠１２Ｌと短枠１２Ｓとを、各側壁部１２ａを外側に向けて組み合わせ、内側に向く２つの保持部１２ｂ，１２ｃ間に太陽電池パネル６の各辺を挿入保持して、太陽電池モジュール５が形成されている。
【００２７】
図５は、図１に示す横桟４の一部（端部）を拡大して示す斜視図である。図５に示すように、横桟４は、長尺状の一枚の鋼板等を折り曲げたものであり、その中央に鋼板を折り曲げて重ねてなる境界壁部４ｃが長手方向（長尺方向）に沿って形成されている。この境界壁部４ｃの下部には、長手方向に直交する一方の側に、断面形状がコの字型の溝部４ｄが形成され、溝部４ｄの底板４ｂに長手方向に沿って長形孔４ａ（図２を併せて参照）が形成されている。溝部４ｄは、後述する第１固定金具２１（図２参照）の奥行きの長さと同一の幅を有しており、第１固定金具２１を溝部４ｄに入れて底板４ｂに載せることができる。
【００２８】
溝部４ｄの一方の側壁４ｅは、鋼板を内側に折り曲げて２重にしたものであり、その上端部が太陽電池モジュール５の長枠１２Ｌが載せられる第１台座部４ｆとなっている。
【００２９】
また、境界壁部４ｃの長手方向に直交する他方の側には、第１台座部４ｆと同じ高さの第２台座部４ｇが形成され、第２台座部４ｇの下端から外側に突出して底板４ｈが形成されている。境界壁部４ｃは、第１台座部４ｆ及び第２台座部４ｇの上面に対して垂直に立っている。また、各底板４ｂ，４ｈの下面は、面一となっている。
【００３０】
なお、横桟４は、実施形態１では、長尺状の一枚の鋼板等を折り曲げて形成しているが、押し出し成形等によって形成した後、長形孔４ａを穿設することによって形成することも可能である。
【００３１】
図６は、支持金具３を示す斜視図である。図６に示すように、支持金具３は、長矩形の底板３ａと、底板３ａの両辺で上方に延設された各側壁３ｂと、各側壁３ｂの上辺で内側に延設された各天板３ｃと、各天板３ｃの内側辺で下方に延設された各ガイド壁３ｄとを有している。各ガイド壁３ｄ間に隙間が形成され、この隙間が開口溝３ｅとなっている。また、各側壁３ｂの一端部近傍には、それぞれストッパー３ｆが形成されている。
【００３２】
なお、支持金具３は、一枚の鋼板等を折り曲げて形成可能であるが、押し出し成形等によっても形成することができる。
【００３３】
図７は、横桟４を支持金具３に取付けるための取付け金具１１を示す斜視図である。図７に示すように、取付け金具１１は、主板１１ａにネジ孔１１ｂが形成され、主板１１ａの前後両辺が上側に延設されてＴ字型の各支持片１１ｃが形成され、また主板１１ａの左右両辺が３回折り曲げるように（下側、外側、上側に順次折り曲げるように）延設されて、各摺動部１１ｄが形成されたものである。
【００３４】
各支持片１１ｃの間は、横桟４の底板４ｂの幅よりも僅かに広く形成されており、各支持片１１ｃの間に横桟４の底板４ｂが配置可能となっている。
【００３５】
図８Ａ及び図８Ｂは、実施形態１に係る第１固定金具２１を表側から視て示す斜視図及び裏側から視て示す斜視図である。また、図８Ｃは、実施形態１に係る第１固定金具２１の変形例を表側から視て示す斜視図である。
【００３６】
図８Ａ，図８Ｂ及び図８Ｃに示すように、第１固定金具２１は、底板２１ａと、底板２１ａの両側から垂直に延設された各側壁２１ｂと、底板２１ａの一辺から垂直に延設された立設板２１ｃとを有している。
【００３７】
底板２１ａには、穿孔２１ｄが形成されている。また、各側壁２１ｂの上端が各受け部２１ｅとなっている。各側壁２１ｂ及び各受け部２１ｅは、立設板２１ｃから離間している。また、各受け部２１ｅの高さは、第１固定金具２１の底板２１ａを横桟４の底板４ｂに載せて重ねたときに、横桟４の第１及び第２台座部４ｆ，４ｇと略同一高さになるように設定されている。
【００３８】
立設板２１ｃの上端部近傍には、底板２１ａ側に延設された第１押え部２１ｆと、第１押え部２１ｆとは反対側に延設された第２押え部２１ｇとが形成されている。第１押え部２１ｆは、立設板２１ｃの上端部近傍において両側に２つ設けられ、第２押え部２１ｇは、立設板２１ｃの上端部近傍において中央部に１つ設けられている。なお、第１及び第２押え部２１ｆ，２１ｇの個数は適宜増減しても構わない。例えば、第１押え部２１ｆ及び第２押え部２１ｇは、立設板２１ｃの全幅にわたって形成されていてもよい。
【００３９】
実施形態１では、この第１押え部２１ｆ及び第２押え部２１ｇより上方に突出した立設板２１ｃの部分が雪止め部２１ｍとなっている。すなわち、第１固定金具２１は、雪止め機能付きの固定金具となっている。
【００４０】
第１押え部２１ｆは、立設板２１ｃに対して直角に延設され、その先端側を斜め上方に折り曲げられている。
【００４１】
また、図８Ａ及び図８Ｂに示す第１固定金具２１では、第２押え部２１ｇの延設箇所の近傍に、立設板２１ｃの一部を第１押え部２１ｆとは反対側に湾曲させて突出させた湾曲部２１ｈが形成されており、この湾曲部２１ｈの上端から第２押え部２１ｇが第１押え部２１ｆとは反対側に突出して形成されている。湾曲部２１ｈは、第１固定金具２１の底板２１ａを横桟４の底板４ｂに載せたときに横桟４の境界壁部４ｃよりも高い位置に配置される。また、立設板２１ｃからの湾曲部２１ｈの突出量が境界壁部４ｃの厚み以上にされている。このため、第１固定金具２１の底板２１ａを横桟４の底板４ｂに載せたときには、第１固定金具２１の湾曲部２１ｈが横桟４の境界壁部４ｃを越えて、湾曲部２１ｈの上端の第２押え部２１ｇが横桟４の第２台座部４ｇの上方に突出する。
【００４２】
また、立設板２１ｃには、この立設板２１ｃの背面側（底板２１ａとは反対側）に突出した２つの凸部２１ｉが形成されている。
【００４３】
なお、図８Ａ、図８Ｂ及び図８Ｃ中において二点鎖線の丸で囲んだ部分Ｃにしぼり加工（面の一方向から力をかけてゆるやかな凸部を作る加工）を施してもよい。しぼり加工を施すことにより、雪止め部２１ｍに積雪荷重がかかっても、その力が分散されるため、雪止め部２１ｍを破壊されにくくすることができる。
【００４４】
また、第１固定金具２１は、押し出し成形等によって形成後、不要な部分を切除（カット）等することによって形成可能である。
【００４５】
図９Ａ及び図９Ｂは、押し出し成型後の所定長さにカットされた第１固定金具の原形状を示している。この形状から、図９Ｂに示す斜線部分をさらにカットすることで、図８Ａ、図８Ｂ及び図８Ｃに示す第１固定金具２１と同様の機能を備えた第１押え部２１ｆ及び第２押え部２１ｇを形成することができる。なお、この場合には、押し出し成型後の底板２１ａに相当する部分を肉厚に形成しておき、この底板２１ａ部分の厚み（高さ）を、図８Ａ、図８Ｂ及び図８Ｃに示す第１固定金具２１の底板２１ａから受け部２１ｅまでの高さに等しくしておけばよい。さらに、底部２１ａ部分に穿孔２１ｄを形成することで、第１固定金具２１を形成することができる。
【００４６】
図１０Ａ及び図１０Ｂは、第２固定金具２２を表側から視て示す斜視図及び裏側から視て示す斜視図である。図１０Ａ及び図１０Ｂに示すように、第２固定金具２２は、平板状の主板２２ａと、主板２２ａの一端部の両側から上方に延設された各柱状部２２ｂと、各柱状部２２ｂの上端部から内側に延設された各第１当接部２２ｃと、主板２２ａの一端部の中央部を延長してなる延長部２２ｄと、主板２２ａの他端部から上方に延設された壁部２２ｅと、壁部２２ｅの中央部から内側に延設された第３台座部２２ｆと、壁部２２ｅの両側を延長してなる各第２当接部２２ｇと、主板２２ａの一端部の両縁から上方に延設された、各柱状部２２ｂに接する各位置決め片２２ｈと、を備えている。また、主板２２ａにはネジ孔２２ｉが形成され、延長部２２ｄにはネジ孔２２ｊが形成されている。
【００４７】
第２固定金具２２の主板２２ａの上面から各第１当接部２２ｃの上面までの高さは、主板２２ａの上面から第３台座部２２ｆの上面までの高さよりも僅かに高くなっている。また、第２固定金具２２の主板２２ａの上面から各第２当接部２２ｇの上端までの高さは、主板２２ａの上面から第３台座部２２ｆの上面までの高さより高く、各第１当接部２２ｃの上面よりも高くなっている。さらに、第３台座部２２ｆの高さは、第２固定金具２２の主板２２ａを横桟４の各底板４ｂ，４ｈの下面に当接させたときに横桟４の第１及び第２台座部４ｆ，４ｇと略同一高さになるように設定されている。また、第２固定金具２２の各第１当接部２２ｃと各第２当接部２２ｇとの離間距離は、横桟４の各底板４ｂ，４ｈの外側端の離間距離と略同一である。
【００４８】
次に、図７に示す取付け金具１１を用いて、屋根１上の支持金具３に横桟４を取り付けて支持固定する構造について、図２を参照して説明する。
【００４９】
先に述べたように、支持金具３は、適宜の方法もしくは構造により屋根１に固定されている。このとき、図２に示すように、支持金具３の開口溝３ｅが水流れ方向Ａに沿うように、また支持金具３のストッパー３ｆが水流れ方向Ａの下流側に位置するように、支持金具３の向きが設定されている。そして、取付け金具１１の各支持片１１ｃが支持金具３の開口溝３ｅに差し込まれ、各支持片１１ｃのＴ字型の頭部が各天板３ｃに引っ掛けられ、取付け金具１１の各摺動部１１ｄが支持金具３の両側の側壁３ｂとガイド壁３ｄとの間に挿入されて、取付け金具１１が支持金具３に取り付けられる。これにより、取付け金具１１が支持金具３の開口溝３ｅに沿って移動自在に支持される。また、支持金具３のストッパー３ｆにより取付け金具１１の水流れ方向Ａの下流側への脱落が防止される。
【００５０】
この後、図２に示すように、支持金具３の各天板３ｃ上に突出した取付け金具１１の各支持片１１ｃの頭部間に横桟４の底板４ｂを挟み込むことで、横桟４の底板４ｂが支持金具３の各天板３ｃ上に載置される。そして、取付け金具１１の主板１１ａのネジ孔１１ｂに、横桟４の底板４ｂの長形孔４ａ部分を重ね合わせた状態で、押さえ部材１４を横桟４の底板４ｂ上に重ね合わせ、ボルト１３を押さえ部材１４の孔１４ａ及び横桟４の底板４ｂの長形孔４ａを通じて取付け金具１１のネジ孔１１ｂにねじ込むことにより、横桟４が取付け金具１１と押え部材１４とによって支持金具３上に固定される。
【００５１】
次に、このように支持固定された各横桟４間に第１固定金具２１及び第２固定金具２２を用いて太陽電池モジュール５を支持固定する構造について説明する。
【００５２】
図１１は、第１固定金具２１及び第２固定金具２２を用いて横桟４に２枚の太陽電池モジュール５を支持した構造を示す断面図である。図２及び図１１に示すように、第１固定金具２１の底板２１ａを横桟４の底板４ｂの上に載せ、第１固定金具２１の立設板２１ｃの背面の各凸部２１ｉを横桟４の境界壁部４ｃに当接させる。また、第２固定金具２２の各第１当接部２２ｃと各第２当接部２２ｇとの間に横桟４の各底板４ｂ、４ｈを通して、第２固定金具２２の主板２２ａを横桟４の各底板４ｂ、４ｈの下面に当接させ、第２固定金具２２の各位置決め片２２ｈを横桟４の側壁４ｅに当接させて、横桟４に対して第２固定金具２２を位置決めする。そして、第１固定金具２１の底板２１ａの穿孔２１ｄ、横桟４の底板４ｂの長形孔４ａ、及び第２固定金具２２の主板２２ａのネジ孔２２ｉを重ね合わせ、ボルト２３を、ワッシャ、第１固定金具２１の穿孔２１ｄ、及び横桟４の長形孔４ａに通して第２固定金具２２のネジ孔２２ｉにねじ込んで締結する。これにより、図１１に示すように、第１固定金具２１の底板２１ａと第２固定金具２２の主板２２ａとの間に横桟４の底板４ｂが挟み込まれて、第１固定金具２１と第２固定金具２２とが互いに固定され、かつ横桟４にも固定される。
【００５３】
また、ボルト２３を締め込む前は、第１固定金具２１の穿孔２１ｄが横桟４の長形孔４ａに重なる範囲で、第１固定金具２１を横桟４の底板４ｂ上で該横桟４の長手方向（横方向Ｘ）に移動させて、第１固定金具２１の位置を調節することができる。
【００５４】
この状態では、横桟４の第１及び第２台座部４ｆ，４ｇの上面と第２固定金具２２の第３台座部２２ｆの上面とは、横桟４の各底板４ｂ，４ｈの上面に対して同一高さであり、面一となっている。また、第２固定金具２２の各第１当接部２２ｃは、横桟４の第１台座部４ｆの近傍に配置され、第１台座部４ｆよりも上方に僅かに突出している。さらに、第２固定金具２２の各第２当接部２２ｇは、横桟４の第２台座部４ｇから離されて配置され、第２台座部４ｇよりも上方に大きく突出している。
【００５５】
また、棟側（水流れ方向Ａの上流側）の太陽電池モジュール５の長枠１２Ｌは、横桟４の第１台座部４ｆに載せられ、第１固定金具２１の各第１押え部２１ｆと各受け部２１ｅとの間に挟み込まれて保持されている。また、第２固定金具２２の各第１当接部２２ｃは、太陽電池モジュール５の裏面側（受光面とは反対側の面）から侵入して突出し、横桟４の第１台座部４ｆに載せられた長枠１２Ｌの底部１２ｄと概ね同一高さに位置決めされ、各第１当接部２２ｃの端部と長枠１２Ｌの底部１２ｄの内側縁とが対峙もしくは当接している。
【００５６】
この状態で、第１固定金具２１の立設板２１ｃから離間する方向の力が棟側の太陽電池モジュール５の長枠１２Ｌに作用すると、第２固定金具２２の各第１当接部２２ｃの端部が長枠１２Ｌの底部１２ｄの内側縁に突き当たるので、棟側の太陽電池モジュール５の長枠１２Ｌがその離間する方向には移動せず、棟側の太陽電池モジュール５の長枠１２Ｌが安定的に支持される。
【００５７】
ここで、棟側の太陽電池モジュール５の長枠１２Ｌを横桟４に取付けるには、棟側の太陽電池モジュール５を図１１中二点鎖線で示すように傾斜させて、長枠１２Ｌの底部１２ｄを第２固定金具２２の各第１当接部２２ｃの上面に載せ、長枠１２Ｌの底部１２ｄを各第１当接部２２ｃの上面から第１固定金具２１の各受け部２１ｅへとスライドさせつつ、長枠１２Ｌを各第１押え部２１ｆの下側に押し込んで行く。このとき、第１固定金具２１の各第１押え部２１ｆの先端側が斜め上方に折り曲げられていることから、傾斜した太陽電池モジュール５の長枠１２Ｌを各第１押え部２１ｆの下側に容易に押し込むことができる。そして、太陽電池モジュール５を押し込みつつ水平に徐々に寝かすと、太陽電池モジュール５の長枠１２Ｌが第１固定金具２１の各第１押え部２１ｆと各受け部２１ｅとの間に挟み込まれ、長枠１２Ｌの底部１２ｄの内側縁が第２固定金具２２の各第１当接部２２ｃの端部を乗り越えて、第２固定金具２２の各第１当接部２２ｃの端部と長枠１２Ｌの底部１２ｄの内側縁とが対峙もしくは当接する。
【００５８】
このとき、図１１に示すように、雪止め部２１ｍが太陽電池モジュール５の受光面（より具体的には、長枠１２Ｌの上側の保持部１２ｃの上面）より若干上方に突出した状態となり、パネル上に積もった雪が陥落することを防止することができる。ここで、雪止め部２１ｍの厚さは０．５ｍｍ〜３ｍｍ程度、長枠１２Ｌの上側の保持部１２ｃの上面から突出する高さは１ｍｍ〜２０ｍｍ程度とするのが望ましい。また、第１固定金具２１の立設板２１ｃの横幅は、約８０ｍｍであり、従って雪止め部２１ｍの幅も約８０ｍｍである。
【００５９】
実施形態１によれば、積雪荷重は太陽電池モジュール５の長枠１２Ｌではなく、第１固定金具２１を介して横桟４にかかることになるため、太陽電池モジュール５上に積雪があっても長枠１２Ｌが変形しにくい構造となっている。従って、太陽電池モジュール５の長枠１２Ｌに雪止め金具を取り付ける従来の設置構造と比較して、より多い積雪量に耐えることが可能となっている。また、雪止め部２１ｍを第１固定金具２１に一体に設けることで、部品点数を削減することができるとともに、施工工数も削減することができる。
【００６０】
また、固定金具２の設置箇所については、図１及び図１２に示すように、太陽電池モジュールの角縁部を除いて複数箇所（この例では２箇所）に配置されていることが望ましい。すなわち、軒先側から棟側を見た場合に、縦方向Ｙに沿って配置される太陽電池モジュール５の短枠１２Ｓと対峙する位置には重ならないように配置されていることが望ましい。太陽電池モジュール５については、雨や風の影響により、縦方向の短枠１２Ｓに沿って葉や砂などのゴミが集まる傾向にある。
【００６１】
従って、縦方向の短枠１２Ｓに沿って集まるゴミ等が第１固定金具２１の雪止め部２１ｍに引っ掛かって受光面を塞がないように、第１固定金具２１は、太陽電池モジュール５の角縁部（短枠１２Ｓ部分を含む所定幅分）を除いて配置されていることが望ましい。
【００６２】
また、雪止め機能付きの第１固定金具２１は、少なくとも軒先に設置される太陽電池モジュール５の軒先側の長枠１２Ｌを固定する固定金具として用いられていればよく、その他の箇所の固定金具２については、雪止め機能を備えていない従来の固定金具を用いてもよい。ただし、屋根１に設置する太陽電池モジュール５の全てをこの雪止め機能付きの第１固定金具２１で固定してもよく、例えば１列置き等、その一部のみに用いるようにしてもよい。
【００６３】
＜実施形態２＞
実施形態２では、第１固定金具２１を２個連結した形状としている。なお、太陽電池モジュール５の設置構造自体は図１に示した実施形態１の設置構造と同じである。
【００６４】
図１３Ａは、実施形態２に係る第１固定金具２１Ａの形状を示す斜視図である。
【００６５】
実施形態２に係る第１固定金具２１Ａは、実施形態１に係る２個の第１固定金具２１を長手方向に沿って所定の間隔を存して一直線状に配置し、その間を、底板２１ａ及び立設板２１ｃを延長することで一体に連結した構造となっている。逆に言えば、底板２１ａ及び立設板２１ｃを横長に形成し、立設板２１ｃの両端部分に、第１押え部２１ｆと、第２押え部２１ｇと、雪止め部２１ｍとからなる固定金具部分２１Ａ１,２１Ａ２をそれぞれ設けた構成となっている。
【００６６】
また、図１３Ｂは、図１３Ａに示した第１固定金具２１Ａの変形例である。違うところは、図１３Ａに示した第１固定金具２１Ａでは、立設板２１ｃに湾曲部２１ｈが形成されているが、図１３Ｂに示す第１固定金具２１Ａでは、この湾曲部２１ｈを無くし、立設板２１ｃの上端部近傍から第１押え部２１ｆと第２押え部２１ｇとを互いに反対方向に突出させた構造としたものである。
【００６７】
このように形成された第１固定金具２１Ａは、横幅（長手方向の幅）が約３０ｃｍとなっている。従って、実施形態１に係る第１固定金具２１の横幅が約８ｃｍであるので、雪止め部２１ｍの無い連結部分の幅は約１４ｃｍとなる。
【００６８】
図１４は、実施形態２に係る第１固定金具２１Ａを用いて太陽電池モジュール５を横桟４に固定した場合の第１固定金具２１Ａの設置箇所を示す平面図である。
【００６９】
第１固定金具２１Ａは、横方向に隣接する太陽電池モジュール５の角縁部を跨いで左右均等な位置に配置され、一方の固定金具部分２１Ａ１で一方の太陽電池モジュール５の長枠１２Ｌを固定し、他方の固定金具部分２１Ａ２で他方の太陽電池モジュール５の長枠１２Ｌを固定する。すなわち、隣接する太陽電池モジュール５の角縁部を１個の第１固定金具２１Ａで固定する構造としている。この場合、隣接する太陽電池モジュール５の角縁部（すなわち、縦方向の短枠１２Ｓ部分を含む所定幅分）には、雪止め部２１ｍの無い立設板２１ｃの延長部分（幅約１４ｃｍの部分）が対峙することから、縦方向の短枠１２Ｓに沿って集まるゴミ等が雪止め部２１ｍで阻止されることはない。
【００７０】
＜実施形態３＞
実施形態３では、第１固定金具２１Ｂの形状が実施形態２とは異なっている。なお、太陽電池モジュール５の設置構造自体は図１に示した実施形態１の設置構造と同じである。
【００７１】
図１５Ａ及び図１５Ｂは、実施形態３に係る第１固定金具２１Ｂの形状を示す斜視図である。
【００７２】
図１５Ａに示す第１固定金具２１Ｂは、図１３Ａに示す第１固定金具２１Ａから雪止め部２１ｍを無くす代わりに、延長部分である立設板２１ｃの上端をさらに上方に所定長さ延設し、その延設部分を雪止め部２１ｍとしたものである。また、図１５Ｂに示す第１固定金具２１Ｂは、図１３Ｂに示す第１固定金具２１Ａから雪止め部２１ｍを無くす代わりに、延長部分である立設板２１ｃの上端をさらに上方に所定長さ延設し、その延設部分を雪止め部２１ｍとしたものである。従って、この雪止め部２１ｍの横幅（長手方向の幅）は、約１４ｃｍとなっている。
【００７３】
なお、実施形態３に係る第１固定金具２１Ｂの設置箇所は、図１２に示した実施形態１に係る第１固定金具２１の設置箇所と同じ箇所である。
【００７４】
なお、図１５Ａ及び図１５Ｂ中において二点鎖線の丸で囲んだ部分Ｃにしぼり加工（面の一方向から力をかけてゆるやかな凸部を作る加工）を施してもよい。しぼり加工を施すことにより、雪止め部２１ｍに積雪荷重がかかっても、その力が分散されるため、雪止め部２１ｍを破壊されにくくすることができる。
【００７５】
＜実施形態４＞
実施形態４では、第１固定金具２１Ｃの雪止め部２１ｍの形状が実施形態３に係る第１固定金具２１Ｂの雪止め部２１ｍの形状と異なっている。
【００７６】
図１６は、実施形態４に係る第１固定金具２１Ｃの形状を示す斜視図である。ただし、図１６は、図１５Ａに示す第１固定金具２１Ｂに適用した場合を例示しているが、図１５Ｂに示す第１固定金具２１Ｂに適用した場合も全く同じである。
【００７７】
実施形態４に係る第１固定金具２１Ｃでは、立設板２１ｃから延設された雪止め部２１ｍに、横方向Ｘに沿って複数箇所に孔２１ｐを形成している。孔２１ｐを設けることで、パネル表面を流れてきた雨や汚れ等が孔２１ｐを通って軒先側に流下し、雪止め部２１ｍに溜まることを防止することができる。なお、実施形態４では、孔２１ｐの形状を横長の四角としているが、円形、楕円形、三角形、四角形、多角形等、種々の形状とすることができる。また、設ける個数も、実施形態４では３個として図示しているが、３個に限定されるものではない。なお、このように孔ｐを設けても、雪は塊となっているので、雪止め効果は保持できる。
【００７８】
＜実施形態５＞
上記実施形態１〜４では、第１固定金具２の第１及び第２押え部２１ｆ，２１ｇで太陽電池モジュール５の長枠１２Ｌの上側の保持部１２ｃを保持する構造であったが、実施形態５では、太陽電池モジュール５のＬ字状突起部１２ｆを保持する構造としている。
【００７９】
図１７は、実施形態５に係る第１固定金具２１Ｄが用いられる太陽電池モジュール５の長枠１２Ｌの近傍を拡大して示す断面図である。
【００８０】
実施形態５に対応した太陽電池モジュール５の長枠１２Ｌは、図４に示す長枠１２Ｌにおいて、上側の保持部１２ｂから反対方向（外側）に突出したリブ１２ｅと、リブ１２ｅの下方で側壁部１２ａから外側に突出したＬ字状突起部１２ｆとをさらに有し、Ｌ字状突起部１２ｆの外側端部が上方に向いた構成とされている。なお、側壁部１２ａについては、断面矩形状の箱体に形成されている場合もある。
【００８１】
図１８は、実施形態５に係る第１固定金具２１Ｄを示す斜視図、図１９は、第１固定金具２１Ｄを用いて水流れ方向Ａに隣接する太陽電池モジュール５の長枠１２Ｌを横桟４に固定した構造を示す断面図である。
【００８２】
実施形態５に係る第１固定金具２１Ｄと、実施形態１に係る第１固定金具２１とはほぼ同じ形状となっているが、違うところは、実施形態５に係る第１固定金具２１Ｄでは、第１押え部２１ｆ及び第２押え部２１ｇが立設板２１ｃの幅方向の全長にわたって形成されている点、長枠１２ＬのＬ字状突起部１２ｆの先端部を保持する関係上、第１押え部２１ｆ及び第２押え部２１ｇが若干下方に湾曲している点、長枠１２ＬのＬ字状突起部１２ｆを第１押え部２１ｆ及び第２押え部２１ｇで保持する関係上、第１押え部２１ｆ及び第２押え部２１ｇから上方に突出した雪止め部２１ｍが実施形態１に係る第１固定金具２１の雪止め部２１ｍより長く（高く）形成されている点、である。
【００８３】
このような形状の第１固定金具２１Ｄは、押し出し成形等によって形成し、その後不要な部分を除去することでも形成可能であるが、展開状に切断加工した１枚の鋼板を順次折り曲げ加工して形成することも可能である。
【００８４】
図１９に示すように、第１固定金具２１Ｄの第１押え部２１ｆ及び第２押え部２１ｇで長枠１２ＬのＬ字状突起部１２ｆを保持した場合、第１押え部２１ｆ及び第２押え部２１ｇから上方に延設された雪止め部２１ｍは、長枠１２Ｌのリブ１２ｅより下方に位置するため、この部分の雪止め部２１ｍは雪止めとしての機能を果たさない。従って、雪止め部２１ｍは長枠１２Ｌのリブ１２ｅよりさらに上方に延設する必要があり、実施形態５に係る第１固定金具２１Ｄでは、このリブ１２ｅより上方に延設されている雪止め部２１ｍの高さが１ｍｍ〜２０ｍｍ程度となるように形成されている。
【００８５】
この場合、水流れ方向Ａの上流側（棟側）に位置する太陽電池モジュール５の長枠１２Ｌのリブ（図１９中、右側のリブ）１２ｅは、下流側（軒側）に位置する太陽電池モジュール５の長枠１２Ｌのリブ１２ｅより短くなっている。すなわち、横桟４上に固定された第１固定金具２１Ｄに太陽電池モジュール５の長枠１２Ｌを差し込んで保持したとき、リブ１２ｅが第１固定金具２１Ｄの雪止め部２１ｍに当たらないように、若干の隙間ができる構成としている。これにより、水流れ方向Ａの上流側（棟側）の太陽電池モジュール５を図１１中二点鎖線で示すように傾斜させて、長枠１２ＬのＬ字状突起部１２ｆを第１固定金具２１Ｄの第１押え部２１ｆの下側に差し込むとき、長枠１２Ｌのリブ１２ｅが邪魔にならずにスムーズに差し込んで保持することができる。
【００８６】
一方、水流れ方向Ａの下流側（軒側）に位置する太陽電池モジュール５の長枠１２Ｌのリブ（図１９中、左側のリブ）１２ｅは、第１固定金具２１Ｄの雪止め部２１ｍに当接するように構成してもよい。これにより、水流れ方向Ａの下流側（軒側）に位置する太陽電池モジュール５の長枠１２Ｌでも雪止め部２１ｍを支えることができるので、より大きい積雪荷重に耐えることができる。
【００８７】
＜実施形態６＞
上記実施形態１〜５では、雪止め部をいずれも第１固定金具に設けた構成としているが、実施形態６では、固定金具２（第１固定金具２１及び第２固定金具２２）を省略する代わりに、固定金具（より具体的には第１固定金具２１）の機能及び雪止め部の機能を横桟４に一体に形成したものである。このように、第１固定金具の機能及び雪止め部の機能を横桟４に一体に形成することで、部品点数及び施工工数を削減することができる。
【００８８】
図２０は、第１固定金具の機能及び雪止め部の機能を一体に備えた横桟４Ａの一構成例を、太陽電池モジュール５を支持固定した状態で示す斜視図である。また、図２１は、第１固定金具の機能及び雪止め部の機能を一体に備えた横桟４Ａの他の構成例を、太陽電池モジュール５を支持固定した状態で示す斜視図である。また、図２２Ａ及び図２２Ｂは、実施形態６に係る横桟４Ａの断面図であり、図２２Ａは、雪止め部が有る部分の断面図、図２２Ｂは雪止め部が無い部分の断面図である。
【００８９】
実施形態６に係る横桟４Ａは、一枚の鋼板等を折り曲げて形成したものであり、その中央に鋼板を折り曲げて重ねてなる境界壁部４ｃが長手方向に沿って長尺状に形成されている。この境界壁部４ｃの下部には、長手方向に直交する一方の側に断面形状がコの字型の溝部４ｄが形成され、溝部４ｄの底板４ｂに長手方向に沿って長形孔４ａ（図２参照）が形成されている。
【００９０】
溝部４ｄの一方の側壁４ｅは、鋼板を内側に折り曲げて２重にしたものであり、その上端部が太陽電池モジュール５の長枠１２Ｌが載せられる第１台座部４ｆとなっている。
【００９１】
また、境界壁部４ｃの長手方向に直交する他方の側には、第１台座部４ｆと同じ高さの第２台座部４ｇが形成され、第２台座部４ｇの下端から外側に突出して底板４ｈが形成されている。境界壁部４ｃは、第１台座部４ｆ及び第２台座部４ｇの上面に対して垂直に立っている。また、各底板４ｂ，４ｈの下面は、面一となっている。
【００９２】
また、境界壁部４ｃの上端部近傍には、溝部４ｄ側に延設された第１押え部４ｉと、第１押え部４ｉとは反対側に延設された第２押え部４ｊとが形成されている。第１押え部４ｉ及び第２押え部４ｊは、横桟４Ａの長手方向に沿って第１台座部４ｆ及び第２台座部４ｇと平行に設けられている。
【００９３】
実施形態６では、この第１押え部４ｉ及び第２押え部４ｊより上方に突出した境界壁部４ｃの部分が雪止め部４ｍとなっている。
【００９４】
この雪止め部４ｍは、図２０に示す横桟４Ａでは、太陽電池モジュール５を横桟４Ａ上に支持固定したとき、太陽電池モジュール５の縦方向の短枠１２Ｓが水流れ方向Ａにおいて横桟４Ａと重なる部分を除いて形成されている。
【００９５】
一方、図２１に示す横桟４Ａでは、実施形態１で説明した第１固定金具２１が横桟４Ａに取り付けられる位置に対応してその部分に雪止め部４ｍを設けた構成としている。すなわち、太陽電池モジュール５の縦方向の短枠１２Ｓが水流れ方向Ａにおいて横桟４Ａと重なる部分を除き、１枚の太陽電池モジュール５に対して左右両側近傍の２箇所の位置に雪止め部４ｍを設けた構成としたものである。このような構成とすることにより、雨や風の影響により縦方向の短枠１２Ｓに沿って集まる葉やゴミ等が、雪止め部４ｍに引っ掛かって受光面を塞ぐことを防ぐことができる。
【００９６】
なお、実施形態６では、横桟４Ａは、一枚の鋼板等を折り曲げて形成しているが、図２２Ａに示す形状の横桟を押し出成形によって形成し、その後、境界壁部４ｃの不要な部分を除去することで雪止め部４ｍを形成してもよい。
【００９７】
また、図２０に示す横桟４Ａについては、図示は省略しているが、雪止め部４ｍに、横方向Ｘに沿って複数箇所に孔を形成してもよい。孔を設けることで、パネル表面を流れてきた雨や汚れ等が孔を通って軒先側に流下し、雪止め部４ｍに溜まることを防止することができる。
【００９８】
図２２Ｃ及び図２２Ｄは、実施形態６に係る第１固定金具の機能及び雪止め部の機能を一体に備えた横桟４の他の構成例を示す断面図であり、図２２Ｃは、雪止め部が有る部分の断面図、図２２Ｄは雪止め部が無い部分の断面図である。
【００９９】
図２２Ｃ及び図２２Ｄに示す横桟４Ｂと、図２２Ａ及び図２２Ｂに示す横桟４Ａとの違いは、鋼板を折り曲げて重ねてなる境界壁部４ｃの下側部分の形状であり、上側部分に形成される第１押え部４ｉ、第２押え部４ｊ及び雪止め部４ｍの形状は、図２２Ａ及び図２２Ｂに示す横桟４Ａと同じである。
【０１００】
すなわち、図２２Ｃ及び図２２Ｄに示す横桟４Ｂは、一枚の鋼板等を折り曲げて形成したものであり、その中央に鋼板を折り曲げて重ねてなる境界壁部４ｃが長手方向に沿って長尺状に形成されている。この境界壁部４ｃの下部には、長手方向に直交する一方の側に断面形状がコの字型の溝部４ｋが形成され、溝部４ｎの底板４ｐに長手方向に沿って長形孔４ａ（図２参照）が形成されている。
【０１０１】
溝部４ｋの両端部は、横方向に延設された支持板部となっており、この支持板部が太陽電池モジュール５の長枠１２Ｌが載せられる第１台座部４ｒとなっている。
【０１０２】
また、境界壁部４ｃの長手方向に直交する他方の側には、第１台座部４ｒと同じ高さの第２台座部４ｓが形成され、第２台座部４ｓの下端から内側に突出して底板４ｔが形成されている。境界壁部４ｃは、第１台座部４ｒ及び第２台座部４ｓの上面に対して垂直に立っている。また、各底板４ｐ，４ｔの下面は、面一となっている。
【０１０３】
また、境界壁部４ｃの上端部近傍には、溝部４ｎ側に延設された第１押え部４ｉと、第１押え部４ｉとは反対側に延設された第２押え部４ｊとが形成されている。第１押え部４ｉ及び第２押え部４ｊは、横桟４Ｂの長手方向に沿って第１台座部４ｒ及び第２台座部４ｓと平行に設けられている。
【０１０４】
なお、実施形態６においても、図８Ａ，図８Ｂ及び図８Ｃ中の丸Ｃ部分、及び、図１５Ａ及び図１５Ｂ中の丸Ｃ部分に対応する箇所に、しぼり加工を施してもよい。しぼり加工を施すことにより、雪止め部４ｍに積雪荷重がかかっても、その力が分散されるため、雪止め部４ｍを破壊されにくくすることができる。
【０１０５】
図２３は、実施形態６に係る横桟４Ａ（横桟４Ｂについては図示を省略している。）を用いて水流れ方向Ａに隣接する太陽電池モジュール５の長枠１２Ｌを固定した構造を示す断面図であり、図４Ａ及び図４Ｂに示した太陽電池モジュール５の長枠１２Ｌを横桟４Ａで支持固定した構造を示している。
【０１０６】
すなわち、棟側（図２３中右側）の太陽電池モジュール５の長枠１２Ｌは、横桟４Ａの第１台座部４ｆに載せられ、この第１台座部４ｆと第１押え部４ｉとの間に挟み込まれて保持されている。また、軒側（図２３中左側）の太陽電池モジュール５の長枠１２Ｌは、横桟４Ａの第２台座部４ｇと第２押え部４ｊとの間に挟み込まれて保持されている。
【０１０７】
ここで、棟側の太陽電池モジュール５の長枠１２Ｌを横桟４Ａに取付けるには、棟側の太陽電池モジュール５を図２３中二点鎖線で示すように傾斜させて、長枠１２Ｌの底部１２ｄを横桟４Ａの第１台座部４ｆに載せ、長枠１２Ｌの底部１２ｄを横桟４Ａの境界壁部４ｃへとスライドさせつつ、長枠１２Ｌを第１押え部４ｉの下側に押し込んで行く。そして、太陽電池モジュール５を押し込みつつ水平に徐々に寝かすと、太陽電池モジュール５の長枠１２Ｌが第１台座部４ｆと第１押え部４ｉとの間に挟み込まれて支持固定される。
【０１０８】
このとき、図２３に示すように、雪止め部４ｍが太陽電池モジュール５の受光面（より具体的には、長枠１２Ｌの上側の保持部１２ｃの上面）より若干上方に突出した状態となり、パネル上に積もった雪が陥落することを防止することができる。ここで、雪止め部４ｍの厚さは０．５ｍｍ〜３ｍｍ程度、長枠１２Ｌの上側の保持部１２ｃの上面から突出する高さは１ｍｍ〜２０ｍｍ程度とするのが望ましい。
【０１０９】
また、図２４は、実施形態６に係る横桟４Ａを用いて水流れ方向Ａに隣接する太陽電池モジュール５の長枠１２Ｌを固定した構造を示す断面図であり、図１７に示した太陽電池モジュール５の長枠１２Ｌを横桟４Ａで支持固定した構造を示している。
【０１１０】
すなわち、棟側（図２４中右側）の太陽電池モジュール５の長枠１２Ｌは、横桟４Ａの第１台座部４ｆに載せられ、この第１台座部４ｆと第１押え部４ｉとの間に挟み込まれて保持されている。また、軒側（図２４中左側）の太陽電池モジュール５の長枠１２Ｌは、横桟４Ａの第２台座部４ｇと第２押え部４ｊとの間に挟み込まれて保持されている。
【０１１１】
ここで、棟側の太陽電池モジュール５の長枠１２Ｌを横桟４Ａに取付けるには、棟側の太陽電池モジュール５を図２４中二点鎖線で示すように傾斜させて、長枠１２Ｌの底部１２ｄを横桟４Ａの第１台座部４ｆに載せ、長枠１２Ｌの底部１２ｄを横桟４Ａの境界壁部４ｃへとスライドさせつつ、長枠１２ＬのＬ字状突起部１２ｆを第１押え部４ｉの下側に押し込んで行く。そして、太陽電池モジュール５を押し込みつつ水平に徐々に寝かすと、太陽電池モジュール５の長枠１２Ｌの底部１２ｄとＬ字状突起部１２ｆとが第１台座部４ｆと第１押え部４ｉとの間に挟み込まれて支持固定される。
【０１１２】
この場合、長枠１２ＬのＬ字状突起部１２ｆを第１押え部４ｉ及び第２押え部４ｊで保持する関係上、第１押え部４ｉ及び第２押え部４ｊから上方に突出した雪止め部４ｍは、図２３に示す太陽電池モジュール５の長枠１２Ｌを固定する場合より長く（高く）形成されている。
【０１１３】
すなわち、図２４に示すように、横桟４Ａの第１押え部４ｉ及び第２押え部４ｊで長枠１２ＬのＬ字状突起部１２ｆを保持した場合、第１押え部４ｉ及び第２押え部４ｊから上方に延設された雪止め部４ｍは、長枠１２Ｌのリブ１２ｅより下方に位置するため、この部分の雪止め部４ｍは雪止めとしての機能を果たさない。従って、雪止め部４ｍは長枠１２Ｌのリブ１２ｅよりさらに上方に延設する必要があり、図２４に適用した横桟４Ａでは、このリブ１２ｅより上方に延設されている雪止め部４ｍの高さが１ｍｍ〜２０ｍｍ程度となるように形成されている。
【０１１４】
実施形態６によれば、積雪荷重は太陽電池モジュール５の長枠１２Ｌではなく、横桟４にかかることになるため、太陽電池モジュール５上に積雪があっても長枠１２Ｌが変形しにくい構造となっている。従って、太陽電池モジュール５の長枠１２Ｌに雪止め金具を取り付ける従来の設置構造と比較して、より多い積雪量に耐えることが可能となっている。また、雪止め部４ｍを横桟４Ａに一体に設けることで、部品点数を削減することができるとともに、施工工数も削減することができる。
【０１１５】
また、雪止め機能付きの横桟４Ａは、少なくとも軒先に設置される太陽電池モジュール５の軒先側の長枠１２Ｌを固定する横桟として用いられていればよく、その他の箇所に配置される横桟については、雪止め機能を備えていない従来の横桟を用いてもよい。ただし、屋根１に設置する太陽電池モジュール５の全てをこの雪止め機能付きの横桟４Ａで固定してもよく、例えば１列置き等、その一部のみに用いるようにしてもよい。
【０１１６】
なお、今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【０１１７】
１  屋根
２  固定金具
３  支持金具
３ａ  底板
３ｂ  側壁
３ｃ  天板
３ｄ  ガイド壁
３ｅ  開口溝
３ｆ  ストッパー
４，４Ａ，４Ｂ  横桟（桟部材）
４ａ  長形孔
４ｂ，４ｐ  底板
４ｃ  境界壁部
４ｄ，４ｎ  溝部
４ｅ  側壁
４ｆ，４ｒ  第１台座部
４ｇ，４ｓ  第２台座部
４ｈ，４ｔ  底板
４ｉ  第１押え部
４ｊ  第２押え部
４ｍ  雪止め部
５  太陽電池モジュール
６  太陽電池パネル
１０  架台
１１  取付け金具
１１ａ  主板
１１ｂ  ネジ孔
１１ｃ  支持片
１１ｄ  摺動部
１２Ｌ  長枠（枠部材）
１２Ｓ  短枠（枠部材）
１２ａ  側壁部
１２ｂ，１２ｃ  保持部
１２ｄ  底部
１２ｅ  ネジ孔
２１，２１Ａ  第１固定金具
２１ａ  底板
２１ｂ  側壁
２１ｃ  立設板
２１ｄ  穿孔
２１ｅ  リブ
２１ｆ  第１押え部
２１ｇ  第２押え部
２１ｍ  雪止め部
２２  第２固定金具
２２ａ  主板
２２ｂ  柱状部
２２ｃ  第１当接部
２２ｄ  延長部
２２ｅ  壁部
２２ｆ  第３台座部
２２ｇ  第２当接部
２２ｉ  ネジ孔
２２ｈ  位置決め片
【図１】
2018071214.tif 000003
【図２】
2018071214.tif 000004
【図３】
2018071214.tif 000005
【図４Ａ】
2018071214.tif 000006
【図４Ｂ】
2018071214.tif 000007
【図５】
2018071214.tif 000008
【図６】
2018071214.tif 000009
【図７】
2018071214.tif 000010
【図８Ａ】
2018071214.tif 000011
【図８Ｂ】
2018071214.tif 000012
【図８Ｃ】
2018071214.tif 000013
【図９Ａ】
2018071214.tif 000014
【図９Ｂ】
2018071214.tif 000015
【図１０Ａ】
2018071214.tif 000016
【図１０Ｂ】
2018071214.tif 000017
【図１１】
2018071214.tif 000018
【図１２】
2018071214.tif 000019
【図１３Ａ】
2018071214.tif 000020
【図１３Ｂ】
2018071214.tif 000021
【図１４】
2018071214.tif 000022
【図１５Ａ】
2018071214.tif 000023
【図１５Ｂ】
2018071214.tif 000024
【図１６】
2018071214.tif 000025
【図１７】
2018071214.tif 000026
【図１８】
2018071214.tif 000027
【図１９】
2018071214.tif 000028
【図２０】
2018071214.tif 000029
【図２１】
2018071214.tif 000030
【図２２Ａ】
2018071214.tif 000031
【図２２Ｂ】
2018071214.tif 000032
【図２２Ｃ】
2018071214.tif 000033
【図２２Ｄ】
2018071214.tif 000034
【図２３】
2018071214.tif 000035
【図２４】
2018071214.tif 000036